(57)【要約】【課題】各電源回路の出力電流のばらつきを抑制し、運転電源数に制限がなく、広い負荷電流範囲全てで高効率化を実現すると共に、冗長構成により信頼性を向上する並列運転電源装置を得る。【解決手段】負荷３００，３０１に電源を供給するスイッチングレギュレータ１１０，１１１，１１２，・・・と、複数のスイッチングレギュレータから出力される各出力電流を検出する電流検出回路１２０，１２１，１２２，・・・と、電流検出回路により検出される各出力電流が同一になるようにスイッチングレギュレータの各出力電圧を制御すると共に、電流検出回路により検出される出力電流がスイッチングレギュレータの効率に基づいて予め設定された負荷電流範囲から外れる場合に、電流検出回路により検出される出力電流が負荷電流範囲に入るように、スイッチングレギュレータの運転電源数を増減する制御回路１４０とを備えた。【選択図】図１
2013150390.tif 000002
【特許請求の範囲】
【請求項１】
負荷に電源を供給する複数の電源回路と、
上記複数の電源回路から出力される各出力電流を検出する電流検出回路と、
上記電流検出回路により検出される各出力電流が同一になるように上記電源回路の各出力電圧を制御すると共に、該電流検出回路により検出される出力電流が該電源回路の効率に基づいて予め設定された出力電流範囲から外れる場合に、該電流検出回路により検出される出力電流が該出力電流範囲に入るように、上記電源回路の運転電源数を増減する制御回路とを備えた並列運転電源装置。
【請求項２】
負荷に電源を供給する複数の電源回路と、
上記複数の電源回路から出力される各出力電流を検出する電流検出回路と、
上記電流検出回路により検出される出力電流の小さい順に上記各電源回路を優先順位付けすると共に、該電流検出回路により検出される出力電流が該電源回路の効率に基づいて予め設定された出力電流範囲から外れる場合に、該電流検出回路により検出される出力電流が該出力電流範囲に入るように、上記電源回路の運転電源数を上記優先順位に基づいて増減する制御回路とを備えた並列運転電源装置。
【請求項３】
制御回路は、
複数の電源回路の並列実装電源総数をＮ（Ｎは２以上の任意の自然数）、そのうちの運転電源数をｎ（ｎはＮ以下の任意の自然数）、上記電流検出回路により検出される総出力電流をＩｔｏｔａｌとした場合に、
Ｉｔｏｔａｌ／（ｎ＋１）、但し、ｎ＝Ｎの場合は除く、
Ｉｔｏｔａｌ／ｎ、
Ｉｔｏｔａｌ／（ｎ−１）、但し、ｎ＝１の場合は除く、
を算出し、
上記算出された３つの値のうち、Ｉｔｏｔａｌ／（ｎ＋１）が上記電源回路の効率に基づいて予め設定された出力電流目標値に最も近いとき、上記電源回路の運転電源数を１台増加し、
Ｉｔｏｔａｌ／ｎが上記出力電流目標値に最も近いとき、現運転電源数により上記電源回路を運転し、
Ｉｔｏｔａｌ／（ｎ−１）が上記出力電流目標値に最も近いとき、上記電源回路の運転電源数を１台減少し、
Ｉｔｏｔａｌ／ｎが上記出力電流目標値に最も近くなるまで、上記電源回路の運転電源数を増減することを特徴とする請求項１または請求項２記載の並列運転電源装置。
【請求項４】
複数の電源回路は、
着脱自在の電源モジュールであることを特徴とする請求項１から請求項３のうちのいずれか１項記載の並列運転電源装置。
【発明の詳細な説明】
【技術分野】
【０００１】
本発明は、例えば、サブラック式電子装置等の負荷変動が大きい装置に対して適用され、複数の電源回路により高効率に大電流を給電する並列運転電源装置に関する。
【背景技術】
【０００２】
従来の並列運転電源装置は、複数の電源回路を用いることにより、大きな出力が得られることから、電流不足を補う目的や、一部の電源回路に故障が発生しても、電力供給に支障のない冗長構成として、信頼性向上を目的として用いられてきた。
【０００３】
また、従来の使用目的とは異なるが、並列運転を用いた電圧変換効率の改善手法として、リニアレギュレータとスイッチングレギュレータを並列構成とし、低負荷時には、リニアレギュレータを選択し、高負荷時には、スイッチングレギュレータを選択することにより、低負荷時の効率改善を図ったものがある（例えば、下記特許文献１参照）。
【０００４】
さらに、必要出力定格を複数のスイッチングレギュレータで分割して供給し、低負荷時には、１台のみ起動し、高負荷時には、複数台起動することにより、１台のみで供給する場合と比較して、低負荷時の効率改善を図ったものがある（例えば、下記特許文献２参照）。
【先行技術文献】
【特許文献】
【０００５】
【特許文献１】特開平５−９１６６０号公報
【特許文献２】特開２０１０−１５８０９８号公報
【発明の概要】
【発明が解決しようとする課題】
【０００６】
従来の並列運転電源装置は、以下のような課題がある。
各電源回路の出力電圧のばらつきと、その出力電圧のばらつきに伴う出力電流のばらつきに対応できない。
よって、大電流を複数の電源回路から給電する場合に、出力電流定格を超える電源回路が発生する懸念があることから、電源回路の並列構成数に制限が発生し、大電流時に複数の電源回路より高効率に電流供給することが困難になる。
【０００７】
また、サブラック式電子装置等、機能ユニットの挿入枚数により負荷が大きく変動し、電流供給量が広範囲となる場合に、上記のとおり、並列構成数に制限が発生し、また、各電源回路の出力電流にばらつきがあると、各電源回路を広い負荷電流範囲全てで高効率化を実現することは困難になる。
【０００８】
さらに、小電流時に高効率化となる構成を適用しているため、高出力対応の他、冗長構成が適用できない。
【０００９】
本発明は、上記のような課題を解消するためになされたものであり、各電源回路の出力電流のばらつきを抑制し、運転電源数に制限がなく、広い負荷電流範囲全てで高効率化を実現すると共に、冗長構成により信頼性を向上する並列運転電源装置を得ることを目的とする。
【課題を解決するための手段】
【００１０】
本発明の並列運転電源装置は、負荷に電源を供給する複数の電源回路と、複数の電源回路から出力される各出力電流を検出する電流検出回路と、電流検出回路により検出される各出力電流が同一になるように電源回路の各出力電圧を制御すると共に、電流検出回路により検出される出力電流が電源回路の効率に基づいて予め設定された出力電流範囲から外れる場合に、電流検出回路により検出される出力電流が出力電流範囲に入るように、電源回路の運転電源数を増減する制御回路とを備えたものである。
【発明の効果】
【００１１】
本発明によれば、電流検出回路により検出される各出力電流が同一になるように電源回路の各出力電圧を制御するので、各電源回路の出力電流のばらつきを抑制することができる。
よって、複数の電源回路により大電流を給電する場合でも、出力電流定格を超える電源回路がないことから、運転電源数に制限がなく、複数の電源回路により高効率に大電流を給電することができる。
また、複数の電源回路の各出力電流が、電源回路の効率に基づいて予め設定された出力電流範囲に入るように制御されるので、給電対象が大きく変動する負荷であっても、広い負荷電流範囲全てで高効率化を実現することができる。
さらに、複数の電源回路の並列実装電源総数を増やすことにより、予備電源として多くの数を割り当てることが可能になるため、冗長構成により信頼性を向上させることができる効果がある。
【図面の簡単な説明】
【００１２】
【図１】本発明の実施の形態１による並列運転電源装置を示す全体構成図である。
【図２】１台接続された電源回路の負荷電流−効率特性を示す特性図である。
【図３】１台および３台接続された電源回路の負荷電流−効率特性を示す特性図である。
【図４】本発明の実施の形態２による並列運転電源装置を示す全体構成図である。
【図５】本発明の実施の形態３による並列運転電源装置を示す全体構成図である。
【発明を実施するための形態】
【００１３】
実施の形態１．
図１は本発明の実施の形態１による並列運転電源装置を示す全体構成図である。
図において、電源ユニット（並列運転電源装置）１００は、主電源２００に接続されると共に、負荷３００，３０１，・・・に接続される。
【００１４】
電源ユニット１００において、スイッチングレギュレータ（電源回路）１１０，１１１，１１２，・・・は、負荷３００，３０１，・・・に電源を供給する。
なお、スイッチングレギュレータにおいて、ＥＮは、パワーオン端子、ＴＲＩＭは、出力電圧調整端子である。
電流検出回路１２０，１２１，１２２，・・・は、スイッチングレギュレータから出力される各出力電流を検出し、出力電流検出信号１５０，１５１，１５２，・・・を生成する。
逆流防止用ダイオード１３０，１３１，１３２，・・・は、電流検出回路の後段に接続され、その後、合成されて、出力端子より負荷３００，３０１，・・・に接続される。
【００１５】
制御回路１４０は、各電流検出回路により生成される出力電流検出信号１５０，１５１，１５２，・・・が同一になるように、スイッチングレギュレータの各出力電圧を調整する出力電圧調整信号１７０，１７１，１７２，・・・を出力する。
また、制御回路１４０は、電源ユニット１００の電源投入時、あるいは各電流検出回路により生成される出力電流検出信号１５０，１５１，１５２，・・・が、スイッチングレギュレータの負荷電流−効率特性に基づいて設定された負荷電流範囲から外れる場合に、負荷電流範囲に入るようにスイッチングレギュレータをオンまたはオフし、運転電源数を増減するパワーオン信号１６０，１６１，１６２，・・・を出力する。
【００１６】
次に動作について説明する。
（１）出力電流のばらつき抑制工程
電源ユニット１００の電源投入時には、全てのスイッチングレギュレータ１１０，１１１，１１２，・・・を起動させ、初期状態での各出力電流を出力電流検出回路１２０，１２１，１２２，・・・により検出する。
制御回路１４０では、各電流検出回路により生成される出力電流検出信号１５０，１５１，１５２，・・・に基づいて、全ての出力電流の平均値を算出する。
【００１７】
また、算出された出力電流の平均値と、各スイッチングレギュレータの出力電流との差分が、ばらつきに相当するものであるから、この差分が無くなるように、出力電圧調整信号を調整する。
すなわち、各スイッチングレギュレータの出力電流検出信号１５０，１５１，１５２，・・・をモニタしながら、平均値より高い電流を出力している場合は、出力電圧が低下するように、平均値より低い電流を出力している場合は、出力電圧が上昇するように、出力電圧調整信号１７０，１７１，１７２，・・・を変化させ、各スイッチングレギュレータ１１０，１１１，１１２，・・・の出力電流のばらつきを抑制する。
【００１８】
（２）運転電源数の調整工程
各スイッチングレギュレータの出力電流のばらつきを抑制した後、スイッチングレギュレータ１１０，１１１，１１２，・・・を１台ずつパワーオフしてゆき、運転電源数を調整することにより、各スイッチングレギュレータの１台当たりにかかる負荷電流を調整する。
【００１９】
ここで、一般的なスイッチングレギュレータの負荷電流に対する効率特性について説明する。
図２は１台接続のスイッチングレギュレータの負荷電流−効率特性を示す特性図である。
図２に示すように、効率特性Ａは、低負荷時では、定常的な消費電力により低下し、高負荷時では、コイルおよびＦＥＴの抵抗成分に、動作電流値の２乗分が積算された値が消費電力として発生することにより低下する。
そのため、スイッチングレギュレータの動作周波数や周辺回路（コイル、ＦＥＴ）の選択により、負荷電流に対する効率特性を、軽負荷重視または重負荷重視といった調整が可能ではあるが、最も高効率となる負荷電流範囲（出力電流範囲）は、図２中に示すように、Ｉ１〜Ｉ２といった中間領域となる。
【００２０】
そこで、各スイッチングレギュレータの負荷電流が高効率な負荷電流範囲になる負荷調整方法を具体的に説明する。
並列電源使用可能総数、すなわち、電源ユニット１００に設けられているスイッチングレギュレータ１１０，１１１，１１２，・・・の数をＮ、そのうちの運転電源数をｎ、電流検出回路１２０，１２１，１２２，・・・により検出される総出力電流をＩｔｏｔａｌ、図２に示した負荷電流−効率特性に基づいて、高効率となる負荷電流範囲であると認められる下限をＩ１、上限をＩ２と設定する。
【００２１】
上記のように設定した場合において、総出力電流Ｉｔｏｔａｌを運転電源数ｎに１加えたｎ＋１により割った値と、総出力電流Ｉｔｏｔａｌを運転電源数ｎにより割った値と、総出力電流Ｉｔｏｔａｌを運転電源数ｎに１減じたｎ−１により割った値とを算出し、算出された３つの値を比較して、最も高効率となる負荷電流範囲Ｉ１〜Ｉ２の中心値（出力電流目標値）＝（Ｉ１＋Ｉ２）／２に、一番近い値となる運転電源数を適用する。但し、ｎが１の場合は、ｎ−１は無効、ｎが上限Ｎに達している場合はｎ＋１は無効とする。
【００２２】
以下、さらに、具体的に説明する。
（２１）説明を簡単にするために、図１に示したように、並列電源使用可能総数Ｎを、３台のスイッチングレギュレータ１１０，１１１，１１２のＮ＝３とし、そのうちの運転電源数をｎ＝３とした場合を例に説明する。なお、Ｎ−ｎは、運転停止中、すなわち、予備電源に相当するスイッチングレギュレータの台数である。
まず、スイッチングレギュレータ１１０，１１１，１１２の検出される各出力電流から総出力電流Ｉｔｏｔａｌを算出する。
次に、Ｉｔｏｔａｌ／３と、Ｉｔｏｔａｌ／２を算出する。
なお、Ｉｔｏｔａｌ／４は、ｎ＝３が上限Ｎ＝３に達しているので、ｎ＋１は無効なので算出しない。
ここで、
Ｉｔｏｔａｌ／３の方がＩｔｏｔａｌ／２よりも（Ｉ１＋Ｉ２）／２に近いとき、そのまま、運転電源数ｎ＝３台により並列運転する。
Ｉｔｏｔａｌ／３よりもＩｔｏｔａｌ／２の方が（Ｉ１＋Ｉ２）／２に近いとき、運転電源数ｎ＝２台にする。例えば、出力電圧調整信号１７２により、スイッチングレギュレータ１１２をパワーオフする。
【００２３】
（２２）スイッチングレギュレータ１１２のパワーオフにより、運転電源数がｎ＝２になった場合、
まず、スイッチングレギュレータ１１０，１１１の検出される各出力電流から総出力電流Ｉｔｏｔａｌを算出する。
次に、Ｉｔｏｔａｌ／３と、Ｉｔｏｔａｌ／２と、Ｉｔｏｔａｌ／１を算出する。
ここで、
Ｉｔｏｔａｌ／３と、Ｉｔｏｔａｌ／２と、Ｉｔｏｔａｌ／１とを比較し、
Ｉｔｏｔａｌ／３が最も（Ｉ１＋Ｉ２）／２に近いとき、運転電源数ｎ＝３台にする。例えば、出力電圧調整信号１７２により、スイッチングレギュレータ１１２をパワーオンする。
なお、スイッチングレギュレータ１１２をパワーオンして、運転電源数ｎ＝３台にした結果、上記（２１）の工程において、Ｉｔｏｔａｌ／３よりもＩｔｏｔａｌ／２の方が（Ｉ１＋Ｉ２）／２に近いと判定された場合、運転電源数ｎ＝３台と運転電源数ｎ＝２台とで無限に処理しないように、（２１）の工程におけるＩｔｏｔａｌ／３と、（２２）の工程におけるＩｔｏｔａｌ／２とで、（Ｉ１＋Ｉ２）／２に近い方の運転電源数を選択する。
Ｉｔｏｔａｌ／２が最も（Ｉ１＋Ｉ２）／２に近いとき、そのまま、運転電源数ｎ＝２台により並列運転する。
Ｉｔｏｔａｌ／１が最も（Ｉ１＋Ｉ２）／２に近いとき、運転電源数ｎ＝１台にする。例えば、出力電圧調整信号１７１により、スイッチングレギュレータ１１１をパワーオフする。
【００２４】
（２３）スイッチングレギュレータ１１１のパワーオフにより、運転電源数がｎ＝１になった場合、
まず、スイッチングレギュレータ１１０の検出される出力電流を総出力電流Ｉｔｏｔａｌを算出する。
次に、Ｉｔｏｔａｌ／２と、Ｉｔｏｔａｌ／１を算出する。
なお、ｎが１の場合は、ｎ−１は無効なので算出しない。
ここで、
Ｉｔｏｔａｌ／２の方がＩｔｏｔａｌ／１よりも（Ｉ１＋Ｉ２）／２に近いとき、運転電源数ｎ＝２台にする。例えば、出力電圧調整信号１７１により、スイッチングレギュレータ１１１をパワーオンする。
なお、スイッチングレギュレータ１１１をパワーオンして、運転電源数ｎ＝２台にした結果、上記（２２）の工程において、Ｉｔｏｔａｌ／２よりもＩｔｏｔａｌ／１の方が（Ｉ１＋Ｉ２）／２に近いと判定された場合、運転電源数ｎ＝２台と運転電源数ｎ＝１台とで無限に処理しないように、（２１）の工程におけるＩｔｏｔａｌ／２と、（２２）の工程におけるＩｔｏｔａｌ／１とで、（Ｉ１＋Ｉ２）／２に近い方の運転電源数を選択する。
Ｉｔｏｔａｌ／１が最も（Ｉ１＋Ｉ２）／２に近いとき、そのまま、運転電源数ｎ＝１台により並列運転する。
【００２５】
上記（２１）〜上記（２３）の運転電源数の調整工程を行い、Ｉｔｏｔａｌ／ｎが（Ｉ１＋Ｉ２）／２に最も近くなるまで、運転電源数を増減する。
【００２６】
なお、上記のように、電源ユニット１００の電源投入後に、制御回路１４０により、運転電源数を増減することによって、１台当たりのスイッチングレギュレータの負荷電流が、最も高効率となる負荷電流範囲Ｉ１〜Ｉ２の中心値に近付くように調整したが、その後、出力電流検出信号１５０，１５１，１５２，・・・が、負荷電流範囲Ｉ１〜Ｉ２から外れる場合に、制御回路１４０により、上記（２１）〜上記（２３）の運転電源数の調整工程を行い、出力電流検出信号１５０，１５１，１５２，・・・が、負荷電流範囲Ｉ１〜Ｉ２に入るように調整する。
【００２７】
このように、最も高効率となる負荷電流範囲Ｉ１〜Ｉ２を設定し、出力電流検出信号１５０，１５１，１５２，・・・が、その負荷電流範囲Ｉ１〜Ｉ２から外れるタイミングで運転電源数の調整工程を行うことにより、供給する電源系統そのものを切り替えず、負荷状況に応じて運転電源数を１台ずつ増減させるため、切換時のタイミング考慮は不要となる。
【００２８】
図３は並列実装電源総数Ｎ＝３にて得られるスイッチングレギュレータの負荷電流−効率特性を示す特性図である。
図からも明らかなとおり、Ｎ＝３のときの効率特性Ｂは、Ｎ＝１のときの効率特性Ａと比較して、高負荷時での効率特性が改善でき、また、上限Ｉ２をスイッチングレギュレータの１台分の最大定格Ｉｍａｘとした場合、冗長数２が確保可能となる。
【００２９】
上記具体例では、並列実装電源総数を３台として説明したが、当然本提案の並列運転電源装置では、並列実装電源総数を増やすことにより、高効率となる負荷電流範囲を拡張させ、予備電源数も多く割り当てることが可能となるため、冗長数を確保することが可能となる。
【００３０】
以上のように、本実施の形態１によれば、電流検出回路により検出される各出力電流が同一になるように、スイッチングレギュレータの各出力電圧を制御するので、各スイッチングレギュレータの出力電流のばらつきを抑制することができる。
よって、複数のスイッチングレギュレータにより大電流を給電する場合でも、出力電流定格を超えるスイッチングレギュレータがないことから、運転電源数に制限がなく、複数のスイッチングレギュレータにより高効率に大電流を給電することができる。
また、複数のスイッチングレギュレータの各出力電流が、スイッチングレギュレータの負荷電流−効率特性に基づいて設定された負荷電流範囲に入るように制御されるので、給電対象が大きく変動する負荷であっても、広い負荷電流範囲全てで高効率化を実現することができる。
さらに、複数のスイッチングレギュレータ１１０，１１１，１１２，・・・の並列実装電源総数を増やすことにより、予備電源として多くの数を割り当てることが可能になるため、冗長構成により信頼性を向上させることができる。
【００３１】
実施の形態２．
上記実施の形態１では、各電源回路の出力電流のばらつきを、その原因となる出力電圧を制御することにより抑制したが、並列運転電源装置に適用する並列実装電源総数が多く、予め冗長数を多く確保する構成であれば、検出される出力電流のばらつきの小さいものを選択することにより、各電源回路の出力電流のばらつきを抑制するようにしても良い。
【００３２】
図４は本発明の実施の形態２による並列運転電源装置を示す全体構成図である。
図において、スイッチングレギュレータ（電源回路）１８０，１８１，１８２，・・・は、図１に示したスイッチングレギュレータ１１０，１１１，１１２，・・・に比較して、出力電圧調整機能、および出力電圧調整端子ＴＲＩＭが設けられていない。
【００３３】
制御回路１４１は、図１に示した制御回路１４０に比較して、電流検出回路１２０，１２１，１２２，・・・により生成される出力電流検出信号１５０，１５１，１５２，・・・が同一になるように、スイッチングレギュレータの各出力電圧を調整する出力電圧調整信号１７０，１７１，１７２，・・・を出力する機能が設けられていない。
代わりに、電流検出回路により生成される出力電流検出信号１５０，１５１，１５２，・・・に応じて、出力電流の小さい順に各スイッチングレギュレータを優先順位付けする。
制御回路１４１は、電源ユニット１００の電源投入時、あるいは電流検出回路により生成される出力電流検出信号１５０，１５１，１５２，・・・が、スイッチングレギュレータの負荷電流範囲から外れる場合に、負荷電流範囲に入るようにスイッチングレギュレータをオンまたはオフし、運転電源数を増減することになるが、このとき、出力電流の小さい順の優先順位に基づいてスイッチングレギュレータをオンまたはオフする。
その他の構成については、図１と同様である。
【００３４】
次に動作について説明する。
（１ａ）スイッチングレギュレータの優先順位付け工程
電源ユニット１００の電源投入時には、全てのスイッチングレギュレータ１８０，１８１，１８２，・・・を起動させ、初期状態での各出力電流を出力電流検出回路１２０，１２１，１２２，・・・により検出する。
制御回路１４１では、各電流検出回路により生成される出力電流検出信号１５０，１５１，１５２，・・・に基づいて、出力電流の小さい順に各スイッチングレギュレータを優先順位付けし、記憶する。
【００３５】
その後、上記実施の形態１の（２）運転電源数の調整工程で説明したように、電源ユニット１００の電源投入時、あるいは電流検出回路により生成される出力電流検出信号１５０，１５１，１５２，・・・が、スイッチングレギュレータの負荷電流範囲から外れる場合に、負荷電流範囲に入るようにスイッチングレギュレータをオンまたはオフし、運転電源数を増減するパワーオン信号を出力することになるが、このとき、出力電流の小さい順の優先順位に基づいてスイッチングレギュレータをオンまたはオフする。
【００３６】
これをより具体的に説明すると、スイッチングレギュレータ１８０，１８１，１８２，・・・をオフするときは、現運転電源のうちの最も出力電流の小さいスイッチングレギュレータを優先してオフする。
また、スイッチングレギュレータ１８０，１８１，１８２，・・・をオンするときは、電源停止中の予備電源のうちの最も出力電流の大きいスイッチングレギュレータを優先してオンする。
【００３７】
以上のように、本実施の形態２によれば、電流検出回路により検出される出力電流の小さい順にスイッチングレギュレータを優先順位付けし、スイッチングレギュレータの運転電源数の増減を優先順位に基づいて制御するので、各スイッチングレギュレータの出力電流のばらつきを抑制することができる。
よって、複数のスイッチングレギュレータにより大電流を給電する場合でも、出力電流定格を超えるスイッチングレギュレータがないことから、運転電源数に制限がなく、複数のスイッチングレギュレータにより高効率に大電流を給電することができる。
また、複数のスイッチングレギュレータの各出力電流が、スイッチングレギュレータの負荷電流−効率特性に基づいて設定された負荷電流範囲に入るように制御されるので、給電対象が大きく変動する負荷であっても、広い負荷電流範囲全てで高効率化を実現することができる。
さらに、複数のスイッチングレギュレータ１８０，１８１，１８２，・・・の並列実装電源総数を増やすことにより、予備電源として多くの数を割り当てることが可能になるため、冗長構成により信頼性を向上させることができる。
さらに、スイッチングレギュレータ１８０，１８１，１８２，・・・に、出力電圧調整機能、および出力電圧調整端子ＴＲＩＭを設ける必要が無く、また、制御回路１４１に、出力電圧調整信号１７０，１７１，１７２，・・・を出力する機能を設ける必要が無いことから、並列運転電源装置全体として、構成を簡易化することができる。
【００３８】
実施の形態３．
上記実施の形態１および上記実施の形態２では、電源ユニット１００内にスイッチングレギュレータを内蔵したが、着脱自在の電源モジュールを適用しても良い。
【００３９】
図５は本発明の実施の形態３による並列運転電源装置を示す全体構成図である。
図において、電源モジュール（電源回路）１９０，１９１，１９２，・・・は、電源ユニット１００内に設けられたソケットに着脱自在なものである。
なお、図５では、図１に示したスイッチングレギュレータ１１０，１１１，１１２，・・・の代わりに適用されるように、パワーオン端子ＥＮ、および出力電圧調整端子ＴＲＩＭを設けたものについて示したが、図４に示したスイッチングレギュレータ１８０，１８１，１８２，・・・の代わりに適用されるように、パワーオン端子ＥＮのみ設けたものでも良い。
【００４０】
以上のように、本実施の形態３によれば、上記実施の形態１および上記実施の形態２に加えて、電源ユニット１００内に、空きソケットを多数用意しておくことにより、電源モジュール１９０，１９１，１９２，・・・の故障発生時に、容易に交換が可能となることから、保守性が向上する。
また、図５でも示したが、電源モジュール１９０，１９１，１９２，・・・が、脱着可能なホットスワップ（活線挿抜：電源を投入したまま着脱を行える機器）対応である場合は、より保守性の向上が望める。
その他、並列実装電源総数を容易に拡張できることから、出力電流定格等を容易に拡張でき、サブラック式電子装置に要求されるスペックへの調整が容易となり、オーバースペックとならず、低コスト化が望める。
また、その機能拡張性からサブラック式電子装置に挿入される機能ユニットの変更に伴い、必要な供給電流量が増加した場合でも、電源ユニット１００の再設計なく、電源モジュールの追加により対応が可能となる。
【００４１】
上記実施の形態１から上記実施の形態３では、具体的にサブラック式電子装置に適用する単一出力の電源ユニットとして記載したが、並列に複数出力を有する構成も可能であり、サブラック式電子装置に限らず電源装置単体に対しても本構成は適用可能である。
【００４２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１００  電源ユニット（並列運転電源装置）、１１０，１１１，１１２，・・・，１８０，１８１，１８２，・・・  スイッチングレギュレータ（電源回路）、１２０，１２１，１２２，・・・  電流検出回路、１３０，１３１，１３２，・・・  逆流防止用ダイオード、１４０，１４１  制御回路、１５０，１５１，１５２，・・・  出力電流検出信号、１６０，１６１，１６２，・・・  パワーオン信号、１７０，１７１，１７２，・・・  出力電圧調整信号、１９０，１９１，１９２，・・・  電源モジュール（電源回路）、２００  主電源、３００，３０１，・・・  負荷。
【図１】
2013150390.tif 000003
【図２】
2013150390.tif 000004
【図３】
2013150390.tif 000005
【図４】
2013150390.tif 000006
【図５】
2013150390.tif 000007